(57)【要約】【課題】  収容物を収容する目的の他に、災害等の緊急時に身体の安全を確保する目的に使用できる収容具を提供する。【解決手段】  収容具１Ａの本体部１１は一対の板面収容部１２，１２を備え、この板面収容部１２に収容物の板面が対向した状態で収容されて、収容物の未収容時には、板面収容部１２，１２同士の連結部分１８及び板面収容部１２，１２同士を連結する連結部材２０のうち少なくとも何れか一方が人体の首周りに掛け渡されることで板面収容部１２が肩周辺を防御しうる位置に装着されて、肩周辺を防御するための肩当てとしての機能を奏しうるように構成する。【選択図】  図５
2009201622.tif 000002
【特許請求の範囲】
【請求項１】
扁平状態の収容物が収容される収容具であって、
本体部は一対の板面収容部を備え、該板面収容部に前記収容物の板面が対向した状態で収容されて、
該収容物の未収容時には、それぞれの前記板面収容部が展開された状態で人体のそれぞれの肩周辺から首周辺にかけて配設されて、前記板面収容部同士の連結部分及び前記板面収容部同士を連結する連結部材のうち少なくとも何れか一方が前記人体の首周りに掛け渡されることで前記板面収容部が前記肩周辺を防御しうる位置に装着されて、該肩周辺を防御するための肩当てとしての機能を奏しうることを特徴とする収容具。
【請求項２】
前記板面収容部は略楕円形の略板状に形成されていることを特徴とする請求項１に記載の収容具。
【請求項３】
前記収容物として、板材によって形成され、折畳んだ状態で前記板材が扁平状態となり、展開した状態で前記板材が人体頭部に被れる形状である帽子状態となる折畳み式帽子が収容可能に構成されたことを特徴とする請求項１又は２に記載の収容具。
【請求項４】
前記板面収容部には前記人体の足の甲部分及び足首部分のうち少なくとも何れか一方の周囲に締結可能な締結手段が設けられ、
前記本体部は前記収容物の未収容時には２つに分離可能に形成され、
該分離した状態において、前記締結手段を前記足の甲部分または前記足首部分のうち少なくとも何れか一方に締結させることで前記板面収容部が足裏を防御するための靴底としての機能を奏しうるように形成されていることを特徴とする請求項２又は３の何れか一つに記載の収容具。
【請求項５】
前記足の甲部分又は前記足首部分のうち少なくとも何れか一方を囲繞可能なアッパー部が設けられたことを特徴とする請求項４に記載の収容具。
【発明の詳細な説明】
【技術分野】
【０００１】
この発明は、収容物を収容するための収容具に関する。
【背景技術】
【０００２】
従来、帽子、携帯用椅子、パーソナルコンピュータ、各種防災用品等の各種物品を不使用時、携帯時又は物流の際に嵩張らないように扁平状態に折畳める構成にすることがよく行われている。従来、上記のような各種物品を扁平状態に折り畳んだものを携帯、運搬する際に用いるものとして、例えば特許文献１及び２に示すような扁平形状の収容具が知られている。
【特許文献１】特開２００６−４４３号公報
【特許文献２】特開２００３−２９９５１６号公報
【発明の開示】
【発明が解決しようとする課題】
【０００３】
しかしながら、上記特許文献１及び２に記載の収容具は、収容具としての機能しか有していない。一方、地震、火事等の災害時等においては落下物や瓦礫等から身体各所を防御しながら避難する必要があるが、例えば就寝時等に突然災害に遭遇し、ヘルメット、身体防御用の装身具が用意されていない場合、身辺にある物品をかかる装身具の代替品としなければならない。しかし、上記特許文献１及び２に記載の収容具は、このような代替品として用いることはできない。
【０００４】
本発明はこのような問題に鑑みてなされたものであり、収容物を収容する目的の他に、災害等の緊急時に身体の安全を確保する目的に使用できる収容具を提供することを課題としている。
【課題を解決するための手段】
【０００５】
かかる課題を達成するために、請求項１に記載の発明は、扁平状態の収容物が収容される収容具であって、本体部は一対の板面収容部を備え、該板面収容部に前記収容物の板面が対向した状態で収容されて、該収容物の未収容時には、それぞれの前記板面収容部が展開された状態で人体のそれぞれの肩周辺から首周辺にかけて配設されて、前記板面収容部同士の連結部分及び前記板面収容部同士を連結する連結部材のうち少なくとも何れか一方が前記人体の首周りに掛け渡されることで前記板面収容部が前記肩周辺を防御しうる位置に装着されて、該肩周辺を防御するための肩当てとしての機能を奏しうることを特徴とする。
【０００６】
請求項２に記載の発明は、請求項１に記載の構成に加え、前記板面収容部は略楕円形の略板状に形成されていることを特徴とする。
【０００７】
請求項３に記載の発明は、請求項１又は２に記載の構成に加え、前記収容物として、板材によって形成され、折畳んだ状態で前記板材が扁平状態となり、展開した状態で前記板材が人体頭部に被れる形状である帽子状態となる折畳み式帽子が収容可能に構成されたことを特徴とする。
【０００８】
請求項４に記載の発明は、請求項２又は３に記載の構成に加え、前記板面収容部には前記人体の足の甲部分及び足首部分のうち少なくとも何れか一方の周囲に締結可能な締結手段が設けられ、前記本体部は前記収容物の未収容時には２つに分離可能に形成され、該分離した状態において、前記締結手段を前記足の甲部分または前記足首部分のうち少なくとも何れか一方に締結させることで前記板面収容部が足裏を防御するための靴底としての機能を奏しうるように形成されていることを特徴とする。
【０００９】
請求項５に記載の発明は、請求項４に記載の構成に加え、前記足の甲部分又は前記足首部分のうち少なくとも何れか一方を囲繞可能なアッパー部が設けられたことを特徴とする。
【発明の効果】
【００１０】
請求項１に記載の発明によれば、扁平状態の収容物が収容される収容具の本体部は一対の板面収容部を備え、板面収容部に収容物の板面が対向した状態で収容されて、収容物の未収容時には、それぞれの板面収容部が展開された状態で人体のそれぞれの肩周辺から首周辺にかけて配設されて、板面収容部同士の連結部分及び板面収容部同士を連結する連結部材のうち少なくとも何れか一方が人体の首周りに掛け渡されることで板面収容部が肩周辺を防御しうる位置に装着されて、肩周辺を防御するための肩当てとしての機能を奏しうることにより、平常時は扁平状態の収容物を収容する収容具としての使用を可能とすると共に、災害時等には収容物を未収容の状態にして板面収容部を展開し、板面収容部を肩周辺を防御する肩当てとして使用することを可能とする。これにより、収容具を、収容物を収容する目的の他に、災害等の緊急時に身体の安全を確保する目的に使用することができる。
【００１１】
請求項２に記載の発明によれば、板面収容部は略楕円形の略板状に形成されていることにより、肩当てとして使用する際に、略楕円形の長軸方向を人体の首から肩にかけて配設して装着させることで、当該首から肩にかけての人体形状にフィットした状態で装着させることができる。これにより、装着したことによる違和感を感じさせることなく、肩当てとしての機能を十分に発揮させることができる。
【００１２】
請求項３に記載の発明によれば、収容物として、板材によって形成され、折畳んだ状態で板材が扁平状態となり、展開した状態で板材が人体頭部に被れる形状である帽子状態となる折畳み式帽子が収容可能に構成されたことにより、災害等の緊急時には収容物を取り出して頭に被ると共に、収容物を取り出した後の収容具を肩当てとして使用することが可能になる。これにより、収容物と収容具の使用目的を一致させて、災害等の緊急時に身体の安全を確保する機能を一層高めることができる。
【００１３】
請求項４に記載の発明によれば、板面収容部には人体の足の甲部分及び足首部分のうち少なくとも何れか一方の周囲に締結可能な締結手段が設けられ、本体部は収容物の未収容時には２つに分離可能に形成され、分離した状態において、締結手段を足の甲部分または足首部分のうち少なくとも何れか一方に締結させることで板面収容部が足裏を防御するための靴底としての機能を奏しうることにより、平常時は扁平状態の収容物を収容する収容具としての使用を可能とすると共に、災害時等には収容物を未収容の状態にしてそれぞれの板面収容部を展開して本体部を２つに分離し、板面収容部を足裏を防御する靴底として使用することを可能とする。これにより、災害等の緊急時に肩当て又は靴として選択的に使用することを可能とし、災害等の緊急時に身体の安全を確保する機能を一層高めることができる。
【００１４】
請求項５に記載の発明によれば、足の甲部分又は足首部分のうち少なくとも何れか一方を囲繞可能なアッパー部が設けられたことにより、足裏のみならず足の甲部分又は足首部分のうち少なくとも何れか一方まで保護することができ、足の保護機能を一層高めることができる。
【発明を実施するための最良の形態】
【００１５】
[発明の実施の形態１]
【００１６】
図１乃至図６は、この発明の実施の形態１を示す。
【００１７】
まず構成を説明すると、図１に示す、この発明の収容具１Ａは、折畳み式帽子を収容しうる収容具としての機能と、人体の両肩周辺を防御するための肩当てとしての機能を奏するものである。
【００１８】
図６のイメージ図に例示する、収容具１Ａに収容される折畳み式帽子１００は、例えば特開２００７−１６２１７９号に示されているような折畳み式のヘルメットである。折畳み式帽子１００は、展開した状態で「板材」としての前側弾性平板１０１及び「板材」としての後側弾性平板１０２の板面がそれぞれ弧状に弾性変形して、図６に示すような、人体頭部に被れる形状である帽子状態（以下単に「帽子状態」と称する。本明細書において同じ。）となる。一方、折畳み式帽子１００は、折り畳んだ状態で前側弾性平板１０１及び後側弾性平板１０２の板面がそれぞれ略平板形状となって重ね合わされた、図示せぬ扁平状態（以下単に「扁平状態」と称する。本明細書において同じ。）となる。そして、この折畳み式帽子１００は扁平状態で収容具１Ａに収容される。
【００１９】
収容具１Ａの本体部１１の表面側は、ナイロン等の柔軟性と耐久性とを有する材質で形成されており、難燃加工されていることが望ましい。
【００２０】
本体部１１は、一対の板面収容部１２と側面部１３とを有する。
【００２１】
板面収容部１２は、図１に示す通り略楕円形の略板状に形成されている。そして、板面収容部１２の大きさと形状は、扁平状態の折畳み式帽子１００が収容可能であり、かつ、略楕円形の長軸方向を人体の首から肩方向に向けて配設した際に、平均的体型の成人の首周りから肩にかけての部位をほぼ覆うことができる程度に形成されている。また、図５に示す通り、板面収容部１２の裏面側全面には、ウレタン等によって形成された衝撃吸収部材１２ａが貼着されている。
【００２２】
側面部１３は、図２，図３，図４に示す通り、板面収容部１２の板面に対し略垂直方向に設けられている。そして、側面部１３の両端方向の大きさ（図２，図３，図４における高さ方向大きさ）は、扁平状態の折畳み式帽子１００が収容できる大きさに形成されている。
【００２３】
側面部１３は側面第一部材１３ａと側面第二部材１３ｂとからなり、側面第一部材１３ａと側面第二部材１３ｂとの一端部はそれぞれ板面収容部１２，１２の周縁部に縫合されており、他端部にはそれぞれクローズドタイプのスライドファスナー１４が配設されている。図２に示す通り、側面部１３における、スライドファスナー１４の上止１５側には両端部方向に沿って切り欠き部１６が形成されており、スライドファスナー１４の下止１７側には、スライドファスナー１４が配設されておらずそれぞれの板面収容部１２，１２同士を連結する連結部分１８が設けられている。
【００２４】
図５に示す通り、スライドファスナー１４のスライダー１９を下止１７の位置まで引き下ろして開き、連結部分１８を基準にそれぞれの板面収容部１２，１２が連結部分１８を基準に略線対称形に展開して、それぞれの板面収容部１２，１２の裏面が露出した展開状態となる。これら板面収容部１２，１２の裏面一方側（図５における上側）にはそれぞれ連結部材２０，２０の基端部が縫合されている。連結部材２０は、ナイロン等の柔軟性と耐久性を有する材質で形成されたベルト２１ａ，２１ｂと、それぞれのベルト２１ａ，２１ｂの先端部に設けられてそれぞれ係脱自在なバックル２２ａ，２２ｂとから成る。ベルト２１ａ，２１ｂは、平均的体型の成人の首に配設可能な程度の長さ、及び幅に形成し、長さを調節自在に形成されている。
【００２５】
次に、この実施の形態の使用状態について説明する。
【００２６】
まず、この収容具１Ａに折畳み式帽子１００を収容する場合、折畳み式帽子１００を折り畳んで扁平状態とする。そして、収容具１Ａの本体部１１のスライドファスナー１４を開いて本体部１１の内部に収容する。この状態で、それぞれの板面収容部１２，１２の裏面に、折畳み式帽子１００の前側弾性平板１０１及び後側弾性平板１０２の板面が対向した状態で収容されることになる。そして、切り欠き部１６から折畳み式帽子１００の顎紐１０３を本体部１１の外部に引き出した後、スライドファスナー１４のスライダー１９を上止１５の位置まで引き上げて閉じ、収容を完了させる。これにより、扁平状態の折畳み式帽子１００を収容具１Ａの本体部１１の内部に嵩張らない状態で保管、携帯することが可能になる。しかも、顎紐１０３が切り欠き部１６から引き出された状態になっているので、収容具１Ａの本体部１１に折畳み式帽子１００を収容した状態で、この顎紐１０３を家屋の内壁等に設けられたフック（図示せず）に引っ掛けて保管することや、顎紐１０３を把持して携帯することができて、折畳み式帽子１００の保管や携帯の利便性が向上する。
【００２７】
一方、収容具１Ａを肩当てとして使用する場合、まず、本体部１１のスライドファスナー１４のスライダー１９を下止１７の位置まで引き下げて開き、収容された折畳み式帽子１００を取り出した後、図５に示すような展開状態とする。そして、板面収容部１２，１２の裏面を使用者の体に面する側に向けると共に、連結部分１８を首の後ろ側において左右方向に掛け渡して配設し、更に、連結部材２０のベルト２１ａ，２１ｂを首の前側において左右方向に掛け渡して配設し、バックル２２ａ，２２ｂを係合させる。この状態で、図６のイメージ図に示す通り、本体部１１の板面収容部１２，１２は、略楕円形の長軸方向が使用者の首から肩にかけて配設された状態で人体に装着される。この状態で本体部１１は、それぞれの板面収容部１２，１２が展開された状態で使用者のそれぞれの肩周辺から首周辺にかけて配設されて、使用者の肩周辺を落下物や飛来物から防御するための肩当てとしての機能を奏することになる。
【００２８】
更に、この状態で、本体部１１から取り出した折畳み式帽子１００を帽子状態にして、図６のイメージ図に示すように使用者の頭部にかぶらせることで、使用者の肩周辺のみならず頭部も落下物や飛来物から防御することができる。
【００２９】
以上、この実施の形態においては、扁平状態の折畳み式帽子１００が収容される収容具１Ａの本体部１１が一対の板面収容部１２，１２を備え、板面収容部１２，１２に折畳み式帽子１００の前側弾性平板１０１及び後側弾性平板１０２が対向した状態で収容されて、折畳み式帽子１００の未収容時には、それぞれの板面収容部１２，１２が展開された状態で人体のそれぞれの肩周辺から首周辺にかけて配設されて、板面収容部１２，１２同士の連結部分１８及び板面収容部同士を連結する連結部材２０が人体の首周りに掛け渡されることで板面収容部１２，１２がそれぞれの肩周辺を防御しうる位置に装着されて、肩周辺を防御するための肩当てとしての機能を奏しうることにより、平常時は扁平状態の折畳み式帽子１００を収容する折畳み式帽子収容具としての使用を可能とすると共に、災害時等には折畳み式帽子１００を未収容の状態にして板面収容部１２，１２を展開し、板面収容部１２，１２を肩周辺を防御する肩当てとして使用することを可能とする。これにより、収容具１Ａを、折畳み式帽子１００を収容する目的の他に、災害等の緊急時に身体の安全を確保する目的に使用することができる。
【００３０】
この実施の形態においては、板面収容部１２は略楕円形の略板状に形成されていることにより、収容具１Ａを肩当てとして使用する際に、略楕円形の長軸方向を人体の首から肩にかけて配設して装着させることで、当該首から肩にかけての人体形状にフィットした状態で装着させることができる。これにより、装着したことによる違和感を感じさせることなく、肩当てとしての機能を十分に発揮させることができる。
【００３１】
この実施の形態においては、収容物として、板材によって形成され、折畳んだ状態で板材が扁平状態となり、展開した状態で板材が人体頭部に被れる形状である帽子状態となる折畳み式帽子１００が収容可能に構成されたことにより、災害等の緊急時には折畳み式帽子１００を取り出して頭に被ると共に、折畳み式帽子１００を取り出した後の収容具１Ａを肩当てとして使用することが可能になる。これにより、収容物と収容具１Ａの使用目的を一致させて、災害等の緊急時に身体の安全を確保する機能を一層高めることができる。
【００３２】
なお、この実施の形態においては、連結部分１８と連結部材２０とが設けられ、肩当てとして使用する際にはそれぞれが人体の首周りに掛け渡される構成としたが、これに限定されず、連結部材２０に代えて着脱不能の新たな連結部分が設けられた構成としてもよい。この場合、連結部分１８、及び新たな連結部材のうち少なくとも何れか一方はゴムバンドのような伸縮自在の材質によって形成され、肩当てとして使用する際、連結部分１８と新たな連結部材との間の間隙部に頭部を通すことで装着するように構成することが考えられる。
【００３３】
この実施の形態においては、本体部１１にクローズドタイプのスライドファスナー１４が設けられ、下止１７側に連結部分１８が設けられた構成としたが、これに限定されず、本体部１１にオープンタイプのスライドファスナーが設けられると共に連結部分１８が設けられず、スライドファスナーが下止の位置まで引き下ろされて全開すると本体部１１が２つに分離する構成であってもよい。この場合、収容具１Ａを肩当てとして使用する場合には、スライドファスナー１４を全開させずに、本体部１１が分離していない状態で使用する。
［発明の実施の形態２］
【００３４】
図７乃至図９は、この発明の実施の形態２を示す。
【００３５】
この実施の形態の収容具は、実施の形態１の収容具１Ａが有する収容具としての機能、及び肩当てとしての機能に加え、人体の足部分（足裏、足の甲、足首等）を保護する靴としての機能を有する。また、実施の形態１の収容具１Ａと同様に折畳み式帽子収容具としての機能を奏する。
【００３６】
図７に示す、この実施の形態の収容具１Ｂの本体部３１は、一対の板面収容部３２と側面部３３とを有する。図７に示す通り、板面収容部３２の裏面側には、「締結手段」としての締結用紐３４と、アッパー部３５とが設けられている。
【００３７】
アッパー部３５は、ナイロン等、柔軟性と剛性とを有する布地からなる。アッパー部３５を形成する布地は難燃加工してあってもよい。アッパー部３５は、一端部側が板面収容部３２の裏面側の周辺部近傍略全域に沿って縫合されており、板面収容部３２を足に履いた際に足の甲部分及び足首部分を囲繞可能に形成されている。具体的には、図７に示す通り、展開状態において、板面収容部３２の裏面側の周辺部側略全域はアッパー部３５で覆われた状態になっている。アッパー部３５の他端部側は、板面収容部３２の裏面側略中央部において、略円形の開口部３６を形成している。アッパー部３５は、開口部３６を上方（図７における正面方向）に引き上げた際に、一端部側から他端部側にかけて上方に隆起した形状を呈する。
【００３８】
締結用紐３４はナイロン紐等、柔軟性と剛性とを有する紐状の部材からなり、人体の足の甲部分及び足首部分の周囲に締結可能に配設されている。
【００３９】
具体的には、板面収容部３２の裏面側において、両端部側（図７における左右側）に内側ガイド部３７ａ、外側ガイド部３７ｂがそれぞれ設けられると共に一方側（図７における上側）に爪先側ガイド部３７ｃが設けられている。これらのガイド部３７ａ，３７ｂ，３７ｃはそれぞれ貫通穴が形成されてこの貫通穴内部に締結用紐３４を通せるように形成されている。
【００４０】
更に、アッパー部３５の開口部３６の両端部側から他方側にかけて足首側ガイド部３７ｄが設けられている。足首側ガイド部３７ｄは展開状態で上方（図７における正面側）から見て略Ｕ字型を呈する。足首側ガイド部３７ｄもそれぞれ貫通穴が形成されてこの貫通穴内部に締結用紐３４を通せるように形成されており、また、両端部には内側開口部３８ａと外側開口部３８ｂとがそれぞれ開口形成されている。
【００４１】
そして、締結用紐３４は、一端部側から他端部側にかけて、内側ガイド部３７ａ、爪先側ガイド部３７ｃ、外側ガイド部３７ｂ、内側開口部３８ａ側から足首側ガイド部３７ｄの内部を経て外側開口部３８ｂの順に通されており、一端部側と他端部側とは外側に露出している。そして、締結用紐３４の一端部側と他端部側とは、コードストッパ３９で締結されている。このコードストッパ３９は２つの貫通穴とばね式の締結具４０を有し、貫通穴に通した締結用紐３４を締結具４０でくわえ込んで締結する。
【００４２】
側面部３３を形成する側面第一部材３３ａと側面第二部材３３ｂとは、一端部はそれぞれ板面収容部３２，３２の周縁部に縫合されており、他端部にはそれぞれオープンタイプのスライドファスナー４１が配設されている。即ち、このスライドファスナー４１は下止４２を形成する保持部材４２ａ及び差込部材４２ｂが切り欠き部１６に接して設けられ、スライダー１９を下止４２の位置まで引き下げると、本体部３１は、板面収容部３２及び側面第一部材３３ａと、板面収容部３２及び側面第二部材３３ｂとの２つに分離する。
【００４３】
図８は、この実施の形態の収容具１Ｂを展開状態にして、締結用紐３４とアッパー部３５とを除去した状態を裏面側から見た図である。同図に示す通り、板面収容部３２の裏面側の衝撃吸収部材１２ａ上にはインナーソール４３が固着されている。このインナーソール４３は、ポリプロピレン等、剛性の高い材質で形成されており、一般的な運動靴等の靴底と略等しい形状を有し、爪先側が板面収容部３２の一方側、踵側が他方側になるように配設されている。その他の構成は実施の形態１の収容具１Ａと同じである。
【００４４】
次に、この実施の形態のこの実施の形態の使用状態について説明する。
【００４５】
収容具１Ｂを靴として使用する場合、まず、本体部３１のスライドファスナー４１を下止４２の位置まで引き下げて開き、図７に示すように、本体部３１を、板面収容部３２及び側面第一部材３３ａと、板面収容部３２及び側面第二部材３３ｂとを分離する。そして、開口部３６からアッパー部３５の内部に使用者の片足を挿入し、インナーソール４３上に足の裏を載置する。
【００４６】
そして、使用者は締結用紐３４の両端部を一緒に把持して引っ張る。締結用紐３４は、一端部側から他端部側にかけて、内側ガイド部３７ａ、爪先側ガイド部３７ｃ、外側ガイド部３７ｂ、内側開口部３８ａ側から足首側ガイド部３７ｄの内部を経て外側開口部３８ｂの順に通されているため、締結用紐３４の一端部側と他端部側とを把持して一方向に引っ張るだけで、内側ガイド部３７ａ、爪先側ガイド部３７ｃ、外側ガイド部３７ｂがそれぞれ上方に引っ張られてせり上がると同時に開口部３６の開口径が縮小する。即ち、一の操作のみで収容具１Ｂの靴底部分と足首部分とをそれぞれ使用者の足にフィットするように締結させることができる。なお、締結用紐３４の各ガイド部３７ａ，３７ｂ，３７ｃ，３７ｄに対する通し方は、一の操作で使用者の足にフィットさせて締結できる通し方ならばどのようなものでもよい。例えば、図７に示す通し方で各ガイド部３７ａ，３７ｂ，３７ｃ，３７ｄに通された締結用紐３４のうち、内側ガイド部３７ａから導出されている一端部側を、外側開口部３８ｂから足首側ガイド部３７ｄに通したのちに内側開口部３８ａから導出させることが考えられる。これにより、締結用紐３４をより締結しやすくすることができる。
【００４７】
また、板面収容部３２は柔軟な材質で形成されており、インナーソール４３は剛性の高い材質で形成されているため、使用者が締結用紐３４を引っ張ると、板面収容部３２はインナーソール４３の配設された部分を除いて上方にせり上がることになる。これにより、一般の運動靴と同様の靴底形状を簡易に形成し、靴としての運動機能性の高い収容具を提供することができる。
【００４８】
そして、使用者はコードストッパ３９の締結具４０を押圧して締結用紐３４の締結を解除し、コードストッパ３９の締結位置を締結用紐３４の端部側から中央部側へとずらし、適度な位置で締結具４０の押圧を解除する。これにより、締結用紐３４を使用者の足に締結させた状態が維持される。即ち、締結用紐３４を引っ張った後、コードストッパ３９の締結位置を操作するだけで締結用紐３４による締結状態を維持できるため、簡易な操作で収容具１Ｂを使用者の足にフィットした状態に形成することができる。
【００４９】
以上の手順により、図９のイメージ図に示す態様で、使用者の足に収容具１Ｂを装着することができる。使用者は、この状態で収容具１Ｂをそれぞれの足に履き、靴を履いたときと同様に足を保護した状態で行動することができる。
【００５０】
この収容具１Ｂに折畳み式帽子１００を収容する場合の使用方法、及び、肩当てとして使用する場合の使用方法は、実施の形態１の収容具１Ａと同じである。ただし、肩当てとして使用する場合には、スライドファスナー４１を下止４２の位置まで引き下ろさず、本体部３１が分離していない状態で使用する。なお、締結用紐３４やアッパー部３５は柔軟性を有する材質で形成されているため、折畳み式帽子１００の収容時や板面収容部３２，３２を肩に当てる際の障害になることはない。
【００５１】
以上、この実施の形態においては、板面収容部３２には人体の足の甲部分及び足首部分に締結可能な締結用紐３４が設けられ、本体部３１は折畳み式帽子１００の未収容時には本体部３１が２つに分離可能に形成され、分離した状態において、締結用紐３４を足の甲部分または足首部分のうち少なくとも何れか一方に締結させることで板面収容部３２が足裏を防御するための靴底としての機能を奏しうることにより、平常時は扁平状態の収容物を収容する折畳み式帽子収容具としての使用を可能とすると共に、災害時等には折畳み式帽子１００を未収容の状態にしてそれぞれの板面収容部を展開して本体部３１を２つに分離し、板面収容部３２を足裏を防御する靴底として使用することを可能とする。これにより、災害等の緊急時に肩当て又は靴として選択的に使用することを可能とし、災害等の緊急時に身体の安全を確保する機能を一層高めることができる。
【００５２】
この実施の形態においては、足の甲部分及び足首部分を囲繞可能なアッパー部３５が設けられたことにより、足裏のみならず足の甲部分又は足首部分のうち少なくとも何れか一方まで保護することができ、足の保護機能を一層高めることができる。
【００５３】
なお、この実施の形態においては、締結手段として締結用紐３４が設けられた構成としたが、これに限定されず、ベルト、スライドファスナー、面ファスナー等、締結に用いられるものであればどのようなものでもよい。
【００５４】
この実施の形態においては、足の甲部分及び足首部分を囲繞可能なアッパー部３５が設けられたものとしたが、これに限定されず、例えば足の甲部分のみを囲繞可能なアッパー部が設けられた構成としてもよい。あるいは、アッパー部が設けられていない構成としてもよい。これらの構成とすることにより、構成を簡素化することができる。
【００５５】
なお、上記各実施の形態においては、収容具１Ａ，１Ｂは肩当て又は靴としての機能を奏するものとしたが、これに限定されず、例えば肘当て、膝当て、胸当て、ミット等、肩や足以外の身体の部分を防御する機能を奏しうるものであれば、どのようなものでもよい。
【００５６】
上記各実施の形態においては、収容具１Ａ，１Ｂに収容される収容物を折畳み式帽子１００としたが、これに限定されず、例えば携帯用椅子、パーソナルコンピュータ、ヘルメット以外の各種防災用品等、扁平状態に折り畳めるものであればどのようなものでもよい。また、物品本来の形状が扁平形状のものが収容物であってもよい。
【００５７】
上記各実施の形態においては、板面収容部は略楕円形の略板状に形成したが、略楕円形には限定されず、例えば略矩形、略六角形など、扁平形状の収容物を収容できて、かつ肩周辺や足等を確実に防御できる形状であればどのような形状であってもよい。
【００５８】
上記各実施の形態においては、肩当てとして使用する場合、本体部１１，３１の連結部材２０（及び連結部分１８）が人体の首周りに掛け渡されて板面収容部１２，３２が肩周辺を防御しうる位置に装着される構成としたが、板面収容部１２，３２の裏側に、腕周りに装着するためのベルトや肩周辺の服生地に貼着させる面ファスナ等、装着時の位置ずれを防止するための構成を設けることもできる。
【００５９】
上記各実施の形態は本発明の例示であり、本発明が上記各実施の形態のみに限定されることを意味するものではないことは、いうまでもない。
【図面の簡単な説明】
【００６０】
【図１】この発明の実施の形態１に係る収容具の正面図である。
【図２】同上収容具の平面図である。
【図３】同上収容具の右側面図である。
【図４】同上収容具の底面図である。
【図５】同上収容具を展開状態にして裏面側から見た図である。
【図６】同上収容具を肩当てとして使用者に装着した状態を示すイメージ図である。
【図７】この発明の実施の形態２に係る収容具を展開状態にして裏面側から見た図である。
【図８】同上収容具を展開状態にして、締結用紐とアッパー部とを除去した状態を裏面側から見た図である。
【図９】同上収容具を靴として使用者に装着した状態を示すイメージ図である。
【符号の説明】
【００６１】
１Ａ，１Ｂ・・・収容具
１１，３１・・・本体部
１２，３２・・・板面収容部
１８・・・連結部分
２０・・・連結部材
３４・・・締結用紐（締結手段）
３５・・・アッパー部
１００・・・折畳み式帽子
【図１】
2009201622.tif 000003
【図２】
2009201622.tif 000004
【図３】
2009201622.tif 000005
【図４】
2009201622.tif 000006
【図５】
2009201622.tif 000007
【図６】
2009201622.tif 000008
【図７】
2009201622.tif 000009
【図８】
2009201622.tif 000010
【図９】
2009201622.tif 000011